(57)【要約】【課題】屋根裏を空調する際に得られる空気を利用して、建物内部をより一層快適な環境とすることが可能な屋根裏空調装置を提供する。【解決手段】本発明の屋根裏空調装置は、屋根裏２の空気を除湿する除湿ロータ１０と、除湿ロータ１０により除湿した空気を建物１外へ排出する一方、除湿ロータ１０が屋根裏２の空気を除湿することにより生じる湿気を含む空気を建物内部７へ供給する手段とを備えている。【選択図】        図１
2004150766.tif 000002
【特許請求の範囲】
【請求項１】
屋根裏の空気を除湿する除湿手段を設けたことを特徴とする屋根裏空調装置。
【請求項２】
屋根裏の空気を除湿する除湿手段と、前記除湿手段により除湿した空気を前記建物外へ排出する一方、前記除湿手段が前記屋根裏の空気を除湿することにより生じる湿気を含む空気を建物内部へ供給する屋根裏空気供給手段と、を備えたことを特徴とする屋根裏空調装置。
【請求項３】
屋根裏の空気を除湿する除湿手段と、
除湿することにより生じる湿気を含む空気を建物外へ排出する一方、前記除湿手段により除湿された空気を建物内部へ供給する屋根裏空気供給手段と、を備えたことを特徴とする屋根裏空調装置。
【請求項４】
前記屋根裏空気供給手段は、前記除湿手段の運転停止時には、前記屋根裏の空気を前記建物内部へ供給するのを停止して、前記建物外へ排出する処理だけを行うことを特徴とする請求項２又は３に記載の屋根裏空調装置。
【請求項５】
前記屋根裏の空気を前記建物外へ排出するか前記建物内部へ供給するかを選択する選択手段を設けたことを特徴とする請求項２又は３に記載の屋根裏空調装置。
【請求項６】
前記除湿手段には、空気中の湿気を吸収するとともに、その湿気を吸収した部分に、ヒータで暖められた空気を当てることにより、前記吸収した湿気を空気中に放出するロータと、該ロータを回転駆動させる回転駆動源と、が設けられていることを特徴とする請求項１〜５のいずれか１項に記載の屋根裏空調装置。
【発明の詳細な説明】
【０００１】
【発明の属する技術分野】
本発明は屋根裏空調装置に係り、特に建物の屋根裏を除湿・換気させるとともに、建物内部を補助的に暖房するのに好適な屋根裏空調装置に関する。
【０００２】
【従来の技術】
一般に建物の屋根裏は、狭くて換気が不十分なため、湿気を含む空気が滞りがちである。また、真夏などには、太陽の直射で加熱された屋根の熱が屋根裏に伝わり、屋根裏内部が非常に高温になっているため、最上階の部屋では冷房の利きが悪くなる要因となっている。
【０００３】
そこで、従来より、屋根裏に換気装置を設け、この換気装置によって、外気を屋根裏に取り込むとともに、屋根裏内部に漂う高温の空気を外気中へ排出して、屋根裏の換気を行うようにする屋根裏換気システムが考えられている。
【０００４】
しかし、このシステムは、換気のみで冷房の利きを良くする点では多少の効果はあるが、除湿機能を有しておらず屋根裏の湿気は完全にはなくならない。
【０００５】
また、上記システムでは、冬期には熱エネルギーを無駄にしてしまう欠点がある。真冬でも晴れた日には、屋根裏内の空気は太陽熱によって多少暖かくなっており、この暖かくなった屋根裏内の空気を外部に無駄に排出してしまう従来のシステムは、省エネの点で好ましくない。
【０００６】
上記欠点を解消するために、屋根裏内の空気を建物の内部に導入する換気装置を設け、冬の晴れた日などには、屋根裏内の暖められた空気を建物内の各部屋に導入することにより、省エネを図った屋根裏換気システムが提案されている（例えば、特許文献１参照）。
【０００７】
【特許文献１】
特開２０００−４６３９８号公報
【０００８】
【発明が解決しようとする課題】
しかしながら、上記従来の技術では、屋根裏内の空気を単に建物の内部に導入する機能しかないため、建物の内部の空気が乾燥してしまうという問題がある。すなわち、冬の晴れた日は、通常、空気は乾燥しており、このような空気が屋根裏内で太陽により加熱されると、湿度はますます低下する。この湿度の低下した空気が建物内部に導入されると、建物内部の空気は乾燥し、建物内部はとても快適とは云えない状況となる。
【０００９】
本発明の課題は、屋根裏を空調する際に得られる空気を利用して、建物内部をより一層快適な環境とすることが可能な屋根裏空調装置を提供することにある。
【００１０】
【課題を解決するための手段】
上記課題を解決するために、請求項１に記載の発明は、屋根裏の空気を除湿する除湿手段を設けたことを特徴としている。
【００１１】
上記構成によれば、屋根裏の空気を除湿して建物内部を快適な環境とすることができる。
【００１２】
請求項２に記載の発明は、屋根裏の空気を除湿する除湿手段と、前記除湿手段により除湿した空気を前記建物外へ排出する一方、前記除湿手段が前記屋根裏の空気を除湿することにより生じる湿気を含む空気を建物内部へ供給する屋根裏空気供給手段とを備えたことを特徴としている。
【００１３】
上記構成によれば、除湿手段が屋根裏の空気を除湿することにより生じる湿気を含む空気が建物内部へ供給されるので、特に冬期などに建物内部の空気の乾燥を防ぐことができる。
【００１４】
請求項３に記載の発明は、屋根裏の空気を除湿する除湿手段と、除湿することにより生じる湿気を含む空気を建物外部へ排出する一方、前記除湿手段により除湿された空気を建物内部へ供給する屋根裏空気供給手段とを備えたことを特徴としている。
【００１５】
上記構成によれば、除湿手段により除湿された空気が建物内部へ供給されるので、特に梅雨期などに建物内部の空気を乾燥させることができる。
【００１６】
請求項４に記載の発明は、請求項２又は３において、前記屋根裏空気供給手段は、前記除湿手段の運転停止時には、前記屋根裏の空気を前記建物内部へ供給するのを停止して、前記建物外へ排出する処理だけを行うことを特徴としている。
【００１７】
夏は通常、湿度が高いので、湿気を含む空気をわざわざ建物内部へ導入する必要がない。そこで、除湿手段の運転を停止して、日差しで加熱され高温となった屋根裏空気を建物外へ排出する処理だけを行うようにする。
【００１８】
請求項５に記載の発明は、請求項２又は３において、前記屋根裏の空気を前記建物外へ排出するか前記建物内部へ供給するかを選択する選択手段を設けたことを特徴としている。
【００１９】
上記構成によれば、屋根裏空気の建物外への排出と建物内部への供給を、選択手段によって容易に切換えることができる。
【００２０】
請求項６に記載の発明は、請求項１〜５のいずれか１項において、前記除湿手段には、空気中の湿気を吸収するとともに、その湿気を吸収した部分に、ヒータで暖められた空気を当てることにより、前記吸収した湿気を空気中に放出するロータと、該ロータを回転駆動させる回転駆動源とが設けられていることを特徴としている。
【００２１】
上記構成によれば、ロータを用いることにより、屋根裏の空調を継続的に行うことが可能となる。
【００２２】
【発明の実施の形態】
以下、本発明の実施の形態を図面に従って説明する。
（実施の形態１）
図１は実施の形態１による屋根裏空調装置を建物の屋根裏に設置した様子を示した概略構成図である。図１に示すように、建物１の屋根裏２には屋根裏空調装置３が設置され、この屋根裏空調装置３は屋根裏２内で建物１の側壁４近くに配置されている。
【００２３】
屋根裏空調装置３は箱型の本体ケース５を備え、この本体ケース５の一側には空気吸込口５Ａが設けられている。本体ケース５の他側には排気ダクト５Ｂと供給ダクト５Ｃが設けられている。排気ダクト５Ｂは建物１の側壁４を貫通して外部へ連通し、供給ダクト５Ｃは天井６を貫通して建物内部７内に連通している。建物内部７としては、通常暖房装置が設置されていない階段や踊り場または廊下などがよい。
【００２４】
本体ケース５は金属パネルで形成され、その内部には、主な構成部品として、空気吸込口５Ａから排気ダクト５Ｂまたは供給ダクト５Ｃに向かって順に、フィルタ８、ファン９、ダンパ９Ａ、除湿ロータ１０、ダンパ１１が設けられている。フィルタ８は、ファン９によって空気吸込口５Ａから流入した空気が通過する際に、その空気中に含まれる埃等を除去する。ファン９はフィルタ８を通過してきた空気をダンパ９Ａ側へ噴出し、本体ケース５の内部に空気の流れを生じさせる。
【００２５】
除湿ロータ１０は、図３に示すように円板状をなし、図示していない軸受装置により、本体ケース５に回転自在に取り付けられている。除湿ロータ１０の本体は、シリカゲル、ゼオライト、塩化リチウムなどの吸湿剤を含浸させたセルロースやセラミック繊維で構成されている。除湿ロータ１０には、その外周面１０Ａにギア１２が設けられ、このギア１２は、回転駆動源としてのモータ１３の回転軸１３Ａに取り付けられたピニオン１４に噛み合っている。そして、モータ１３を回転させると、その回転力はピニオン１４、ギア１２を介して除湿ロータ１０に伝達され、除湿ロータ１０は、その中心軸（図示省略）を中心にして回転駆動される。なお、モータ１３の回転軸１３Ａにプーリを設け、このプーリと除湿ロータ１０の外周面１０Ａとの間にベルトを掛け渡して、ベルト駆動で除湿ロータ１０を回転駆動させることもできる。
【００２６】
除湿ロータ１０には、図４に示すように、一側端面１０Ｂと他側端面１０Ｃに小穴１０Ｄが多数形成され、各小穴１０Ｄは一側端面１０Ｂから他側端面１０Ｃに貫通している。各小穴１０Ｄはハニカム構造に形成されている。
【００２７】
空気の流れに沿って、除湿ロータ１０の上流側（一側端面１０Ｂ側）には、図５に示すように、仕切板１５が水平に設けられ、また除湿ロータ１０の下流側（他側端面１０Ｃ側）には、仕切板１６が水平に設けられている。仕切板１５，１６の両側端は本体ケース５の内壁面に固定されている。
【００２８】
除湿ロータ１０は本体ケース５の底面壁５Ｄと中間壁５Ｅ（図１も参照）との間に配置されている。そして、除湿ロータ１０が設けられた部分では、内部空間が仕切板１５，１６によって上下２つに分離され、上側には上側風路１７，１８が、下側には下側風路１９，２０がそれぞれ形成されている。上側風路１７，１８は除湿ロータ１０の小穴１０Ｄを介して互いに連通し、下側風路１９，２０も除湿ロータ１０の小穴１０Ｄを介して互いに連通している。また、下側風路１９には給電により発熱するヒータ２１が設けらている。
【００２９】
ダンパ９Ａは、図１に示すように、中間壁５Ｅの上流端部に支軸９Ｂを介して取り付けられ、支軸９Ｂを中心にしてＡ１，Ａ２の位置に切換可能となっている。またダンパ１１は、排気ダクト５Ｂの上流端部に支軸２２を介して取り付けられ、支軸２２を中心にしてＢ１，Ｂ２の位置に切換可能となっている。
【００３０】
なお、本体ケース５の上面壁５Ｆと中間壁５Ｅとの間にはバイパス風路２３が形成されている。また、排気ダクト５Ｂの下流側には、外気が排気ダクト５Ｂへ逆流するのを防止する逆風防止シャッタを設けることができる。このシャッタは、風圧式でもよいし、電動で開閉を制御するようにしてもよい。
【００３１】
本実施の形態では、除湿ロータ５は除湿手段を、ファン９および供給ダクト５Ｃは屋根裏空気供給手段をそれぞれ構成している。また、ダンパ９Ａ，１１は選択手段を構成している。
【００３２】
次に、上記構成の屋根裏空調装置３の動作について説明する。
冬期に屋根裏２の空気を建物内部７に供給する場合は、図１に示すように、ダンパ９ＡをＡ１の位置に、ダンパ１１をＢ１の位置にそれぞれ切換えて、ダンパ９Ａの先端を本体ケース５の上面壁５Ｆに、ダンパ１１の先端部を仕切板１６にそれぞれ当接させる。これにより、バイパス風路２３の入口側が閉じられ、ファン９、上側風路１７、上側風路１８および排気ダクト５Ｂが連通し、またファン９、下側風路１９、下側風路２０および供給ダクト５Ｃが連通する。そして、モータ１３によって除湿ロータ１０を一定方向に回転させながら、ファン９を回転駆動させる。すると、屋根裏２内の空気はファン９によって吸引され、空気吸込口５Ａからフィルタ８を通って本体ケース５内に流れ込み、上側風路１７および下側風路１９に流入する。
【００３３】
上側風路１７に流入した空気は、除湿ロータ１０の上半分（処理ゾーン）の小穴１０Ｄを通過する際に、その湿分が、除湿ロータ１０に含浸された吸湿剤に吸収された後、上側風路１８を通って排気ダクト５Ｂに流れ、乾燥した空気として建物１の外部へ排出される。
【００３４】
一方、下側風路１９内に流入した空気は、ヒータ２１によって加熱されて温風となって除湿ロータ１０に送られる。除湿ロータ１０に送られた温風は、除湿ロータ１０の下半分（再生ゾーン）の小穴１０Ｄを通過する際に、吸湿剤に吸収されていた湿分を除湿ロータ１０から奪い取ってから下側風路２０を通り、供給ダクト５Ｃから湿分を含む暖かい空気として建物内部７に供給される。これにより、建物内部（例えば、階段や踊り場または廊下など）７を暖めることができるとともに、建物内部７内の空気の乾燥を防ぐことができる。特に、階段や踊り場または廊下などには、通常、暖房装置が設けられておらず、ヒータ２１によって暖められた空気を階段や踊り場または廊下などに供給すると、冬期にも寒さを感じなくて済む。
【００３５】
夏期に日差しによって屋根裏が高温に加熱されている場合は、図２に示すように、ダンパ９ＡをＡ２の位置に、ダンパ１１をＢ２の位置にそれぞれ切換えて、ダンパ９Ａの先端を本体ケース５の立壁５Ｇに、ダンパ１１の先端部を中間壁５Ｅにそれぞれ当接させる。これにより、上側風路１７および下側風路１９の入口側が閉じられ、ファン９、バイパス風路２３、排気ダクト５Ｂが連通する。この場合は、除湿ロータ１０の回転を停止させ、またヒータ２１への給電も停止させておく。そして、ファン９を回転駆動させると、屋根裏２内の高温空気はファン９によって吸引され、空気吸込口５Ａおよびフィルタ８を通って本体ケース５内に流入し、バイパス風路２３、さらに排気ダクト５Ｂから建物１の外部へ排出される。このようにして、屋根裏２内の高温空気が外部へ排出されるので、屋根裏２内の温度を低下させることができる。
【００３６】
本実施の形態によれば、モータ１３によって除湿ロータ１０を一定方向に回転駆動させることにより、除湿ロータ１０は湿分が取り除かれた部分は上側の処理ゾーンへ、逆に湿分を吸収した部分は下側の再生ゾーンへと連続的に変位するので、屋根裏２内の除湿・換気を継続して行うことができる。
【００３７】
また、真夏の気温が高い時には、屋根裏２内の高温空気を建物１の外部へ排出できるので、屋根裏２の温度を下げることができ、その結果、冷房の利きを向上させることが可能となる。
【００３８】
また、真夏の気温が高い時には、除湿ロータ１０の回転を停止させるので、省電力に寄与する。
【００３９】
また、フィルタ８の位置をファン９の上流側に配置したので、ファン９の汚れを防止できるとともに、空気の引き込みより抵抗を少なくできる。
【００４０】
さらに、ヒータ２１の発熱量を変えることにより、建物内部７へ供給される空気の温度調節を容易に行うことができる。
【００４１】
なお、図１に示すように、供給ダクト５Ｃの先端（吹出口）にもフィルタ８Ａを設けてもよい。
【００４２】
（実施の形態２）
図６は実施の形態２による屋根裏空調装置を建物の屋根裏に設置した様子を示した概略構成図である。本実施の形態の屋根裏空調装置３０は、図６に示すように、箱型の本体ケース３１を備え、この本体ケース３１の一側には空気吸込口３１Ａが設けられている。本体ケース３１の他側には排気ダクト３１Ｂと供給ダクト３１Ｃが設けられている。排気ダクト３１Ｂは建物１の側壁４を貫通して外部へ連通し、供給ダクト３１Ｃは天井６を貫通して建物内部７内に連通している。
【００４３】
本体ケース３１は金属パネルで形成され、その内部には、主な構成部品として、空気吸込口３１Ａから排気ダクト３１Ｂまたは供給ダクト３１Ｃに向かって順に、ファン９、フィルタ８、除湿ロータ１０、ダンパ３２が設けられている。ファン９は、空気吸込口３１Ａを介して取り込んだ屋根裏２内の空気をフィルタ８に向けて噴出し、本体ケース３１の内部に空気の流れを生じさせる。フィルタ８は、ファン９から噴出された空気が通過する際に、その空気中に含まれる埃等を除去する。フィルタ８は、図６に点線で示すように、ファン９の上流側に配置することが可能であり、その場合には、ファン９の汚れを防止するとともに空気の引き込みより抵抗を少なくすることができる。
【００４４】
ダンパ３２は、排気ダクト３１Ｂと供給ダクト３１Ｃの分岐点に支軸３３を介して取り付けられ、支軸３３を中心にしてＣ１，Ｃ２の位置に切換可能となっている。ダンパ３２は、Ｃ１，Ｃ２の中間位置に配置することが可能であり、屋根裏２内の空気の外気への排出と建物内部７への供給の双方を同時に行うことができる。そしてダンパ３２の位置によって、建物内部７への供給量を調整できる。
【００４５】
なお、フィルタ８、ファン９、除湿ロータ１０およびその周辺部材（モータ１３、仕切板１５，１６など）、ヒータ２１は、実施の形態１の場合と同様である。ただ、仕切板１６の長さは実施の形態１のときよりも短い。
【００４６】
次に、上記構成の屋根裏空調装置３０の動作について説明する。
冬期に屋根裏内の空気を建物内部７に供給する場合は、図７に示すように、ダンパ３２をＣ１の位置に切換えて、ダンパ３２の先端部を仕切板１６に当接させ、除湿ロータ１０下流側の上側風路１８と下側風路２０とを分離する。そして、モータ１３によって除湿ロータ１０を一定方向に回転させながら、ファン９を回転駆動させる。すると、屋根裏２内の空気はファン９によって吸引され、空気吸込口３１Ａを通って本体ケース３１内に流入する。本体ケース３１内に流入した空気は、フィルタ８で埃等は取り除かれた後、上側風路１７および下側風路１９に流入する。
【００４７】
上側風路１７に流入した空気は、除湿ロータ１０の上半分（処理ゾーン）の小穴１０Ｄを通過する際に、その湿分が、除湿ロータ１０に含浸された吸湿剤に吸収され、その後、上側風路１８を通って排気ダクト３１Ｂに流れて、乾燥した空気として建物１の外部へ排出される。
【００４８】
一方、下側風路１９内に流入した空気は、ヒータ２１によって加熱されて温風となって除湿ロータ１０に送られる。除湿ロータ１０に送られた温風は、除湿ロータ１０の下半分（再生ゾーン）の小穴１０Ｄを通過する際に、吸湿剤に吸収されていた湿分を除湿ロータ１０から奪い取って、その後、下側風路２０を通り、供給ダクト３１Ｃから湿分を含む暖かい空気として建物内部７に供給される。これにより、建物内部（例えば、階段や踊り場または廊下など）７を暖めることができるとともに、建物内部７内の空気の乾燥を防ぐことができる。
【００４９】
夏期に日差しによって屋根裏が高温に加熱されている場合は、図８に示すように、ダンパ３２をＣ２の位置に切換えて、ダンパ３２の先端部を本体ケース３１の底面壁３１Ｄに当接させて、供給ダクト３１Ｃを塞ぐとともに上側風路１８と下側風路２０とを連通させる。この場合は、除湿ロータ１０の回転を停止させ、またヒータ２１への給電も停止させておく。そして、ファン９を回転駆動させると、屋根裏２の高温空気はファン９によって吸引され、空気吸込口３１Ａを通って本体ケース３１内に流入し、フィルタ８を通過し、さらに上側風路１７および下側風路１９に流入する。
【００５０】
上側風路１７および下側風路１９に流入した高温空気は、除湿ロータ１０の小穴１０Ｄを通過した後、それぞれ上側風路１８および下側風路２０に流入する。上側風路１８と下側風路２０とはそれらの下流側で連通しているので、上側風路１８および下側風路２０に流入した高温空気は、合流して排気ダクト３１Ｂに流れ込み、さらに排気ダクト３１Ｂから建物１の外部へ排出される。このようにして、屋根裏２内の高温空気が外部へ排出されるので、屋根裏２内の温度を低下させることができる。
【００５１】
本実施の形態によれば、実施の形態１のようなバイパス風路２３がないので、装置全体を小型化できる。
【００５２】
（実施の形態３）
次に、実施の形態３について説明する。本実施の形態の屋根裏空調装置４０には、図９に示すように、本体ケース４１内部に、屋根裏２と外気とを連通可能なバイパス風路４２および上側風路４３と、屋根裏２と建物内部７とを連通可能な下側風路４４が設けられている。
【００５３】
除湿ロータ１０は上側風路４３と下側風路４４に亘って配置され、ヒータ２１は下側風路４４に設けられている。また、モータ４５によって回転駆動される排気ファン４６はバイパス風路４２および上側風路４３に亘って配置され、モータ４７によって回転駆動される供給ファン４８は下側風路４４に配置されている。なお、除湿ロータ１０、ヒータ２１は実施の形態１のものと同様である。
【００５４】
バイパス風路４２および上側風路４３の入口側には矢印のように上下方向にスライド自在なスライドシャッタ４９が設けられ、また下側風路４４の入口側には矢印のように上下方向に伸縮自在な伸縮シャッタ５０が設けられている。スライドシャッタ４９および伸縮シャッタ５０は、図示していない駆動源により駆動される。
【００５５】
また、下側風路４４の下流側は、天井６に形成された吹出口５１に接続されている。吹出口５１にはフィルタ５１Ａが設けられている。さらに、バイパス風路４２、上側風路４３、下側風路４４の入口側にはフィルタ５２が設けられている。
【００５６】
上記構成において、屋根裏２の空気を建物内部７に供給する場合は、図９に示すように、スライドシャッタ４９を上昇させて、バイパス風路４２の入口を塞いで上側風路４３の入口を開くとともに、伸縮シャッタ５０を短縮させて下側風路４４の入口を半開き状態にする。そして、モータ４５で排気ファン４６を、モータ４７で供給ファン４８をそれぞれ回転駆動させると、屋根裏２の空気は吸引されて上側風路４３および下側風路４４に流入する。
【００５７】
上側風路４３に流入した空気は、その湿気が除湿ロータ１０で取り除かれて、乾燥した空気として外気中に排出される。一方、下側風路４４に流入した空気は、ヒータ２１で加熱された後、除湿ロータ１０を通過する際に除湿ロータ１０から湿気を奪い取り、湿気を含む暖かい空気として吹出口５１から建物内部７へ供給される。
【００５８】
屋根裏２内の高温空気を外気に排出する場合は、スライドシャッタ４９を下降させて、上側風路４３の入口を塞いでバイパス風路４２の入口を開くとともに、伸縮シャッタ５０を伸長させて下側風路４４の入口を閉じる。そして、排気ファン４６だけを回転駆動させると、屋根裏２の空気はバイパス風路４２を通って外気中に排出される。
【００５９】
本実施の形態によれば、除湿ロータ１０や両ファン４６，４８などを一体構成とすることができ、装置全体を更に小型化できる。
【００６０】
（実施の形態４）
次に、実施の形態４について説明する。本実施の形態の屋根裏空調装置６０には、図１０に示すように、本体ケース６１内部に、屋根裏２と外気とを連通可能な上側バイパス風路６２、上側風路６３、および下側バイパス風路６５と、屋根裏２と建物内部７とを連通可能な下側風路６４とが設けられている。
【００６１】
除湿ロータ１０は上側風路６３と下側風路６４に亘って配置され、ヒータ２１は下側風路６４に設けられている。また、モータ６６によって回転駆動される排気ファン６７は上側バイパス風路６２および上側風路６３に亘って配置され、モータ６８によって回転駆動される供給ファン６９は下側風路６４および下側バイパス風路６５に亘って配置されている。なお、除湿ロータ１０、ヒータ２１は実施の形態１のものと同様である。
【００６２】
上側バイパス風路６２および上側風路６３の入口側には矢印のように上下方向にスライド自在なスライドシャッタ７０が設けられ、また下側風路６４および下側バイパス風路６５の入口側には矢印のように上下方向にスライド自在なスライドシャッタ７１が設けられている。スライドシャッタ７０，７１は、図示していない駆動源により駆動される。
【００６３】
下側風路６４の下流側にはダンパ７２が設けられ、このダンパ７２は支軸７３を介して本体ケース６１に取り付けられ、Ｄ１，Ｄ２の位置に切換自在となっている。また、ダンパ７２の下方にはダンパ７４が設けられ、このダンパ７４は支軸７５を介して本体ケース６１に取り付けられ、Ｅ１，Ｅ２の位置に切換自在となっている。支軸７５は、フィルタ７６Ａを有する吹出口７６の入口に設けられている。さらに、上側バイパス風路６２、上側風路６３、下側風路６４、下側バイパス風路６５の入口にはフィルタ７７が設けられている。
【００６４】
上記構成において、屋根裏２の空気を建物内部７に供給する場合は、図１０に示すように、スライドシャッタ７０を上昇させて、上側バイパス風路６２の入口を塞いで上側風路６３の入口を開くとともに、スライドシャッタ７１を下降させて下側バイパス風路６５の入口を閉じて下側風路６４の入口を開く。また、ダンパ７２をＤ２の位置に、ダンパ７４をＥ２の位置にそれぞれ切換える。そして、モータ６６で排気ファン６７を、モータ６８で供給ファン６８をそれぞれ回転駆動させると、屋根裏２の空気は吸引されて上側風路６３および下側風路６４に流入する。
【００６５】
上側風路６３に流入した空気は、その湿気が除湿ロータ１０で取り除かれて、乾燥した空気として外気中に排出される。一方、下側風路６４に流入した空気は、ヒータ２１で加熱された後、除湿ロータ１０を通過する際に除湿ロータ１０から湿気を奪い取り、湿気を含む暖かい空気として吹出口７６から建物内部７へ供給される。
【００６６】
屋根裏２内の高温空気を外気に排出する場合は、スライドシャッタ７０を下降させて、上側風路６３の入口を塞いで上側バイパス風路６２の入口を開くとともに、スライドシャッタ７１を上昇させて、下側風路６４の入口を塞いで下側バイパス風路６５の入口を開く。また、ダンパ７２をＤ１の位置に、ダンパ７４をＥ１の位置にそれぞれ切換える。そして、排気ファン６７および供給ファン６９を回転駆動させると、屋根裏２の空気は両バイパス風路６２，６５を通って外気中に排出される。
【００６７】
本実施の形態によれば、屋根裏２の空気が両バイパス風路６２，６５を通って排出されるため、排出効率が高まって、真夏の暑いときに屋根裏２内の温度上昇を防ぐことができる。
【００６８】
（実施の形態５）
次に、実施の形態４について説明する。本実施の形態は、実施の形態１と類似しているが、ヒータ２１を上側風路１７に設けた点が異なる。他の構成は実施の形態１の場合と同様である。
【００６９】
上記構成において、屋根裏２の空気を建物内部７に供給する場合は、図１１に示すように、ダンパ９ＡをＡ１の位置に、ダンパ１１をＢ１の位置にそれぞれ切換える。そして、ファン９を回転駆動させると、屋根裏２の空気は吸引されて上側風路１７および下側風路１９に流入する。
【００７０】
下側風路１９に流入した空気は、その湿気が除湿ロータ１０で取り除かれた後、下側風路２０を通って乾燥した空気として建物内部７に供給される。一方、上側風路１７に流入した空気は、ヒータ２１で加熱された後、除湿ロータ１０を通過する際に除湿ロータ１０から湿気を奪い取り、さらに上側風路１８および排気ダクト５Ｂを通って湿気を含む暖かい空気として外気中に排出される。
【００７１】
屋根裏２内の高温空気を外気に排出する場合は、図１２に示すように、ダンパ９ＡをＡ２の位置に、ダンパ１１をＢ２の位置にそれぞれ切換える。そして、ファン９を回転駆動させると、屋根裏２の空気は吸引されてバイパス風路２３に流入し、さらに排気ダクト５Ｂを通って外気中に排出される。
【００７２】
本実施の形態によれば、乾燥した空気が建物内部７へ供給されるので、梅雨期などに建物内部７の空気を乾燥させることができる。
【００７３】
【発明の効果】
以上説明したように、本発明によれば、屋根裏を空調する際に得られる空気を利用して、建物内部に暖かい湿った空気を供給したり、また乾燥した空気を供給したりすることができるので、建物内部をより一層快適な環境とすることが可能となる。
【図面の簡単な説明】
【図１】実施の形態１の屋根裏空調装置によって、屋根裏内の空気を建物内部に供給する様子を示した図である。
【図２】図１の屋根裏空調装置によって、屋根裏内の空気を外気中へ排出する様子を示した図である。
【図３】図１の屋根裏空調装置の要部斜視図である。
【図４】除湿ローラの部分断面図である。
【図５】図１の屋根裏空調装置のうち、除湿ロータが設けられた部分の縦断面図である。
【図６】実施の形態２による屋根裏空調装置の構成図である。
【図７】図６の屋根裏空調装置によって、屋根裏内の空気を建物内部に供給する様子を示した図である。
【図８】図６の屋根裏空調装置によって、屋根裏内の空気を外気中へ排出する様子を示した図である。
【図９】実施の形態３による屋根裏空調装置の構成図である。
【図１０】実施の形態４による屋根裏空調装置の構成図である。
【図１１】実施の形態５の屋根裏空調装置によって、屋根裏内の空気を建物内部に供給する様子を示した図である。
【図１２】図１１の屋根裏空調装置によって、屋根裏内の空気を外気中へ排出する様子を示した図である。
【符号の説明】
１  建物
２  屋根裏
３，３０，４０，６０  屋根裏空調装置
５，３１，４１，６１  本体ケース
５Ａ，３１Ａ  空気吸込口
５Ｂ，３１Ｂ  排気ダクト
５Ｃ，３１Ｃ  供給ダクト
６  天井
７  建物内部
９，４６，４８，６７，６９  ファン
８，８Ａ，５２，７７  フィルタ
１０  除湿ロータ
９Ａ，１１，３２，７２，７４  ダンパ
１３，４５，４７，６６，６８  モータ
１５，１６  仕切板
１７，１８，４３，６３  上側風路
１９，２０，４４，６４  下側風路
２１  ヒータ
２３，４２  バイパス風路
４９，７０，７１  スライドシャッタ
５０  伸縮シャッタ
５１，７６  吹出口
６２  上側バイパス風路
６５  下側バイパス風路
【図１】
2004150766.tif 000003
【図２】
2004150766.tif 000004
【図３】
2004150766.tif 000005
【図４】
2004150766.tif 000006
【図５】
2004150766.tif 000007
【図６】
2004150766.tif 000008
【図７】
2004150766.tif 000009
【図８】
2004150766.tif 000010
【図９】
2004150766.tif 000011
【図１０】
2004150766.tif 000012
【図１１】
2004150766.tif 000013
【図１２】
2004150766.tif 000014